(57)【特許請求の範囲】
【請求項１】
断熱材が充填される扉を本体部に設けられる開口部の周囲に接離して該開口部を開閉する扉開閉機構において、
前記扉に回動可能に設けられるハンドルと、前記断熱材内に設けた空間に挿通して前記ハンドルの回動軸となるシャフトと、前記シャフトに取り付けられるとともに前記ハンドルの回動に伴って前記本体部を押圧して前記扉を前記本体部から所定間隔離隔させるアームとから成るてこ式手段と、
前記空間の壁面の一部を形成するハンドルサポートと、
前記空間の壁面の残部を形成するシャフトカバーと、
を備えるとともに、前記ハンドルは使用者が把持する握り部と前記握り部を前記シャフトに連結する連結部とを有し、前記連結部と前記アームとの間の前記空間の断面積を一部狭くしたことを特徴とする扉開閉機構。
【請求項２】
熱良導体から成るドアプレートを前記断熱材の前面に配し、前記シャフトと平行に延びる前記握り部を回避して前記連結部及び前記シャフトの前面を前記ドアプレートにより覆ったことを特徴とする請求項１に記載の扉開閉機構。
【請求項３】
前記ハンドルサポート及び前記シャフトカバーは平行な平面部を有した断面コ字型に形成され、一方の開放側を他方の開放側に挿入して互いの前記平面部が接して形成されることを特徴とする請求項１または請求項２に記載の扉開閉機構。
【請求項４】
前記ハンドルサポートの前記平面部と前記シャフトカバーの前記平面部とが接する部分の前記シャフトに垂直な方向の幅を４ｍｍ以上にしたことを特徴とする請求項３に記載の扉開閉機構。
【請求項５】
前記扉の側面において、前記断熱材が前記ハンドルサポートで覆われるとともに前記ハンドルサポートが前記ドアプレートで覆われ、前記ハンドルサポートの前記ドアプレート側に形成される凹部と、前記ドアプレートに形成して前記凹部に挿入される凸部と、前記凸部に向かって前記凹部内に配される突起とを設けたことを特徴とする請求項２〜請求項４のいずれかに記載の扉開閉機構。
【請求項６】
前記シャフトが弾性材料から成ることを特徴とする請求項１〜請求項５のいずれかに記載の扉開閉機構。
【発明の詳細な説明】
【０００１】
【発明の属する技術分野】
本発明は冷蔵庫等の扉開閉機構に関するものである。
【０００２】
【従来の技術】
従来この種の扉開閉機構は、例えば特開平１０−７３３６７号公報に示されるように、ドアに内側および外側ハンドルを設け、前記内側および外側ハンドルの一側に回動自在にヒンジ結合された取手部材を設け、前記取手部材と内側および外側ハンドルを指で握ることにより、シーソー運動するように回転カムを設け、前記回転カムのシーソー運動により、前後にスライド移動するスライド軸を設け、前記取手部材と内側および外側ハンドルを指でつまみ、指の力によってスライド軸を移動させ、スライド移動した前記スライド軸にてキャビネットを押し、ドアを一定間隔離隔させるものがある。
【０００３】
【発明が解決しようとする課題】
前記のような扉開閉機構では、前記取手部材と内側および外側ハンドルを指でつまむには、かなりの指先の握力が必要であり、また、体重をかけて前記取手部材を引くにしても、指先の握力がかなり必要であ操作性に欠けるという課題があった。
【０００４】
そして、操作力を小さくするには、前記回転カムの回転軸となるヒンジピンから前記取手部材につながる第１接触突起面までの距離を長くする必要があり、前記回転カムが大きくなり、前記回転カム等の扉開閉機構の多くはドアの外側に位置し、デザイン的に見苦しくなり、しかも、前記取手部材を大きく動かす必要が生じ、そのため、操作性も悪くなり、大きなスペースも必要となる課題があった。
【０００５】
さらに、スライド軸がキャビネットを押す位置は、ドア上下端近くで、かつ、ドアハンドル開閉手段の近くであり、ドアハンドル位置が限られるためデザイン的制約となり、そのうえ、ドアハンドルの位置が限定されることにより、ドア自体の大きさや位置によっては使用上不都合な位置となり、使い勝手の悪い扉開閉機構となるという課題もあった。
【０００６】
また、取手部材を縦長にして都合のよい位置にドアハンドルを設けても、回転カムから遠のいた位置の前記取手部材を操作すると、前記部材の撓み等にて回転カム等の応答性が低下して、操作性の悪化が生じるという課題もあった。
【０００７】
【課題を解決するための手段】
本発明の扉開閉機構は前記のような課題を解決したもので、
断熱材が充填される扉を本体部に設けられる開口部の周囲に接離して該開口部を開閉する扉開閉機構において、
前記扉に回動可能に設けられるハンドルと、前記断熱材内に設けた空間に挿通して前記ハンドルの回動軸となるシャフトと、前記シャフトに取り付けられるとともに前記ハンドルの回動に伴って前記本体部を押圧して前記扉を前記本体部から所定間隔離隔させるアームとから成るてこ式手段と、
前記空間の壁面の一部を形成するハンドルサポートと、
前記空間の壁面の残部を形成するシャフトカバーと、
を備えるとともに、前記ハンドルは使用者が把持する握り部と前記握り部を前記シャフトに連結する連結部とを有し、前記連結部と前記アームとの間の前記空間の断面積を一部狭くしたことを特徴とするものである。
【０００８】
また本発明は、上記構成の扉開閉機構において、熱良導体から成るドアプレートを前記断熱材の前面に配し、前記シャフトと平行に延びる前記握り部を回避して前記連結部及び前記シャフトの前面を前記ドアプレートにより覆ったことを特徴とするものである。
【０００９】
また本発明は、上記構成の扉開閉機構において、前記ハンドルサポート及び前記シャフトカバーは平行な平面部を有した断面コ字型に形成され、一方の開放側を他方の開放側に挿入して互いの前記平面部が接して形成されることを特徴とするものである。
【００１０】
また本発明は、上記構成の扉開閉機構において、前記ハンドルサポートの前記平面部と前記シャフトカバーの前記平面部とが接する部分の前記シャフトに垂直な方向の幅を４ｍｍ以上にしたことを特徴とするものである。
【００１１】
また本発明は、上記構成の扉開閉機構において、前記扉の側面において、前記断熱材が前記ハンドルサポートで覆われるとともに前記ハンドルサポートが前記ドアプレートで覆われ、前記ハンドルサポートの前記ドアプレート側に形成される凹部と、前記ドアプレートに形成して前記凹部に挿入される凸部と、前記凸部に向かって前記凹部内に配される突起とを設けたことを特徴とするものである。
【００１２】
また本発明は、上記構成の扉開閉機構において、前記シャフトが弾性体から成ることを特徴とするものである。
【００２２】
【発明の実施の形態】
以下、本発明の扉開閉機構の実施の形態を図面とともに説明する。
【００２３】
図１は本発明の扉開閉機構を備えた冷蔵庫の正面図、図２は図１のてこ式手段によるハンドル付近の断面図、図３は図２の空間付近の断面およびシャフトウケを下方から見た図、図４は図１のＡ−Ａ線断面図、図５は図１のＢ−Ｂ線断面図、図６は本発明の扉開閉機構で扉の下側にあるヒンジアングルを示す図、図７は本発明の扉開閉機構で扉の上側にあるロックカムを示す図、図８は本発明の扉開閉機構で扉の上側にあるスライドカムを示す図、図９は本発明の扉開閉機構のスライドカム付近で扉の下側の一部とその関連部品を示す部分拡大図、図１０は本発明の扉開閉機構の動作を示す図、図１１は本発明の扉開閉機構の動作を示す図、図１２は他の実施例を示す図で、図１のＢ−Ｂ線断面図に相当する図である。
【００２４】
図１において、１は冷蔵庫本体、２は冷蔵室扉、３は冷凍室扉、４は冷凍室扉、５は野菜室扉で、前記冷蔵庫本体１は前記各々の扉に対応して前面に開口部を有する隔離室をもっている。また、前記冷蔵室扉２は左右両開きの扉で、左右に各々てこ式のハンドル６、７をもっている。
【００２５】
そして、冷蔵室扉２は左右両端が後方に折り曲げられたドアプレート８の上下端に各々ドアキャップ上９とドアキャップ下１０が差し込まれ箱体１１とし、前記ハンドル６、７が取り付けられる部分には、前記ドアプレート８を切り抜き各々開口部８ａ、８ｂが設けられている。そして、前記開口部８ａ、８ｂには、左右の側面斜め前方から通して、差し込むように、ハンドルベース１４、１５が各々取り付けられており、前記ハンドルベース１４、１５に前記ハンドル６、７等てこ式手段の一部等を組み込んだ後、前記開口部８ａ、８ｂ周辺等には各々ハンドルサポート１２、１３がドアプレート８の裏に設けられている。
【００２６】
なお、ハンドルサポート１２、１３はハンドルベース１４、１５より内側にあり、ドアプレート８を挟んで扉の内側からビス止めされ、互いにドアプレート８に取り付けられている。そして、各部の取付け部で隙間が生じる箇所は、前記冷蔵室扉２の中側となる部分に、シール材（図示せず）等にてシール処理が施され、冷蔵室扉小組品１６となる。
【００２７】
また、本図においては、前記ハンドルサポート１２、１３は外部から見えないため、その外形線は描いておらず、それらの概略位置を示すため、引き出し線を点線で描いている。
【００２８】
そして、前記冷蔵室扉小組品１６は他の関連部品を組み込まれた後、発泡治具に入れられ、冷蔵室扉小組品１６の後方開口部（図示せず）から発泡ウレタン原料を注入し、前記後方開口部を覆うように背面板（図示せず）が前記冷蔵室扉小組品１６に取り付けられ、前記発泡治具の蓋をし、ウレタン発泡させ、発泡が完了した後に、発泡治具から取り出され、内部に発泡したウレタンフォームの断熱材２ａをもつ冷蔵室扉中組品１７ができあがる。なお、冷凍室扉３、冷凍室扉４、野菜室扉５はそれぞれ引き出し式の扉であり、前後方向で引き出し可能となっている。
【００２９】
図２において、本図は扉の右側のハンドル７付近の図で、内部構造がわかるように、ハンドル７付近の冷蔵室扉２を部分的に断面図にしてある。また、扉の左側のハンドル６付近は本図を左右方向で反転したものとなる。
【００３０】
前記ドアプレート８に設けられた、ハンドルベース１５の前面にある開口部１５ａの前方から、補強板１８をビス止めされたハンドル７の上下両端を通し、ハンドル７はハンドルベース１５に差し込まれる。（後述の図４参照）なお、ハンドル７の当断面図の断面より前方の一部は参考までに１点鎖線で表わしている。
【００３１】
また、下シャフト１９はハンドル下２０の穴２０ａを通してハンドル下２０に取り付けられ、前記各々の部品が一体となって、シャフトウケ２１下方の鍵穴状の開口部２１ａに、ハンドル下２０下の突起部２０ｂの部分が回動自在に取り付けられる。そして、このとき、前記の下シャフト１９取り付けと同時に、ハンドル下２０の上方の突起部２０ｅには、バネ２２が差し込まれ、前記バネ２２の一端はシャフトウケ２１に係るように取り付けられる。なお、前記回動の中心が下シャフト１９の軸心１９ａと一致している。
【００３２】
そして、ハンドル下２０の回動する自由端の右側先端をハンドル７の下方に設けられた凹部７ａに左側から差し込みながら、前記下シャフト１９とハンドル下２０をもつシャフトウケ２１は、ハンドルベース１５のドアプレート８裏側に位置する部分に爪嵌合等にて仮止めされる。そのため、ハンドル７の下方はシャフトウケ２１を介してハンドルベース１５に回転自在に取り付けられることになり、前記下シャフト１９の軸心１９ａとハンドル７の下方の回転軸は一致することになる。なお、ハンドル下２０とハンドル７の下方の凹部７ａ付近とは前記補強板１８を介してビス止めされる。
【００３３】
その後、ハンドル７の上方の回転軸を中心とした穴７ｂと、シャフトウケ２１の上方の穴２１ａ、２１ｂを貫通するように、上シャフト２３は上方から差し込まれ、ハンドル７の上方はシャフトウケ２１の上方に回転自在に取り付けられる。なお、シャフトウケ２１はハンドルサポート１３とともにハンドルベース１５に後にビス止めされることになる。そのため、ハンドル７の上方はシャフトウケ２１を介してハンドルベース１５に回転自在に取り付けられることになる。また、ハンドル７の上方の回転軸中心と前記下シャフト１９の軸心１９ａとは一致している。
【００３４】
そして、下シャフト１９を覆うように、シャフトカバー２４は下シャフト１９の下方から差し込まれ、その後、ハンドルサポート１３は、下シャフト１９やシャフトウケ２１やシャフトカバー２４等ハンドル関連の部材を覆うように、爪嵌合で仮止めされ、ハンドルベース１５にシャフトウケ２１とハンドルサポート１３は同時にビス止めされる。なお、シャフトウケ２１の上部と下部をつなぐ部分は当断面図で描くと図面が複雑になるため、参考としてその略領域は１点鎖線であらわしている。
【００３５】
そして、前記シャフトカバー２４の空間部２４ａとハンドルサポート１３の一部の壁によって空間２５は形成され、その一部は所定の間隔（例えば：高さ方向で約４０mmの長さ）の領域だけ狭められ（例えば：巾方向で約３０mmから２０mmに狭められ）ている。
【００３６】
その後、補強板２６を取り付けたドアキャップ下１０がドアプレート８の下方に取り付けられ、前記の所定の工程を経て内部にウレタンフォームの断熱材２ａをもつ冷蔵室扉中組品１７ができあがる。
【００３７】
なお、２７は下シャフト１９の上下にあるＬ状曲げ部１９ｂ、１９ｃの下方のＬ状曲げ部１９ｃに嵌合するカムレバーで、２８は前記カムレバー２７を回動自在に保持し、ドアキャップ下１０を挟んで補強板２６にビス止めされるスライドカムである。また、前記カムレバー２７、スライドカム２８をドアキャップ下１０側の所定の位置にとりつけた後に、前記ウレタン発泡の工程を実施してもよい。
【００３８】
また、ハンドルサポート１３とシャフトカバー２４の嵌合部や、ドアキャップ下１０とシャフトカバー２４の嵌合部は、発泡するウレタンフォームの断熱材２ａが前記空間２５内に入り込まないように、適度の嵌合シロをもたせてある。そして、その部にシール処理（例えば：独立発泡体の軟質ウレタン等のスポンジ材張り付け、ブチルゴム等のパテ類挟み込み、シリコン等充填剤の充填等）を施すといっそうその効果は向上する。
【００３９】
そして、前記下シャフト１９に各々Ｌ状曲げ部１９ｂ、１９ｃを設けているため、下シャフト１９と前記ハンドル下２０やカムレバー２７との結合に、回り止めのためのキーやキー溝等を設けることもなく、扉のハンドルの構造が簡略化され、部品点数も少なく、組み立ても容易となっている。
【００４０】
また、ハンドルサポート１３とシャフトカバー２４の各々の一部で下シャフト１９を左右から囲むようにして、前記空間２５を設けることにより、内部に発泡した断熱材をもつ扉であっても、前記Ｌ状曲げ部１９ｃが下シャフト１９と一体にドアキャップ下１０内の表面に突き出すことができ、これもまた、扉のハンドルの構造が簡略化され、部品点数も少なく、組み立ても容易となっており、前記空間２５によって、てこ式手段のてこの作用点（カムレバー２７等）と、てこの力点（握り部７ｃ）とが、下シャフト１９によって機能的につながっている。
【００４１】
さらに、前記シャフトカバー２４の空間部２４ａと、ハンドルサポート１３の一部の壁によって形成された、前記空間２５の一部は、所定の間隔の領域だけ狭められているため、前記空間２５が一部で狭められることにより、前記空間２５の空気の対流がある程度阻害され断熱効果が向上するばかりでなく、所定の間隔（例えば：高さ方向で約４０mmの長さ）の領域で狭められることにより、狭い空気の流通路の部分がさらに長く続くようになり、さらなる空気の対流の阻害ができ、対流減少による断熱効果がより向上することになる。
【００４２】
しかも、前記空間２５が狭くなるため、その付近の断熱材２ａのしめる領域が増し、扉の断熱効率が向上し、強度的にも増加することになり、扉開閉機構が左右に設けられている場合は、２倍の効果となり、冷蔵庫等の場合は、冷凍効率の向上にもなる。
【００４３】
なお、前記でハンドル７の位置が冷蔵室扉２の下方に位置し、空間２５を上下方向で長く設ける必要がないか、空間２５を設ける必要がない場合は、冷蔵室扉２の内部にあるてこ式手段の一部と、冷蔵室扉２の外部に設けられたてこ式手段の一部とをつなぐ位置の開口部や、前記内部や、それらの付近の空間の少なくとも一部（例えば：本図における空間２５の上部付近に相当の部分）に、前記のような空気の対流を阻害する対流阻害機能を備えると、前記同様の効果が得られる。
【００４４】
また、前記は片開きの扉構造であっても同様の効果が得られることは明白である。
【００４５】
そして、前記カムレバー２７がＬ状曲げ部１９ｃに取り付けられた状態で、前記下シャフト１９のてこの支点となる軸心１９ａの下方への延長線上を中心として、前記カムレバー２７の下面には円形ボス２７ａが設けられている。また、前記円形ボス２７ａはスライドカム２８の穴２８ａに回動自在に嵌合している。
【００４６】
図３において、（ａ）は扉の右側のハンドルサポート１３とシャフトカバー２４の嵌合部で空間２５が狭められた付近の断面を下方から見た図で、点線はシャフトカバー２４の空間部２４ａの上下での形状の一部をあらわしている。そして、前記空間部２４ａの上下においては略小判穴状の穴となっている。
【００４７】
なお、前記略小判穴状の上下の穴を、下シャフト１９のＬ状曲げ部１９ｃが通りぬけるようにして、シャフトカバー２４が下シャフト１９を覆い、その後、ハンドルサポート１３は、下シャフト１９やシャフトウケ２１（図２に表示）やシャフトカバー２４の一部等ハンドル関連の部材を覆うように、冷蔵室扉２を前方から見たときの左方向（中央側）から右方向（側面側）に、ドアプレート８の裏面に添って移動させて、爪嵌合で仮止めされる。
【００４８】
このとき、シャフトカバー２４の空間部２４ａの一部は、ハンドルサポート１３の一部の壁によって狭められ、前記シャフトカバー２４の空間部２４ａとハンドルサポート１３の一部の壁によって空間２５は所定の間隔だけ左右の方向から狭められた状態で形成されることになる。
【００４９】
そのため、空間２５は簡単な構造で容易に狭めることができ、突起部（例えば：Ｌ状曲げ部１９ｃ）をもつ、てこの作用を機能的につなげる部材（例えば：下シャフト１９）の一部を前記空間２５に位置させることができ、さらに、前記のような構成によって、ドアプレート８にて扉内部に設けたてこ式手段の一部の前方をも、覆うことができるようになる。
【００５０】
また、前記の狭められた前記空間２５で上下の空気の対流はある程度阻害され、前記空間２５での扉の断熱性は向上する。なお、前記で、所定の間隔だけ狭められた空間２５部分にシール部材を設けると、この部で上下の空気の対流はさらに阻害され、前記空間２５での扉の断熱性はいっそう向上する。
【００５１】
前記シール部材の取り付けは、例えば、シャフトカバー２４の下シャフト１９となる側にシール部材（例えば：独立発泡の軟質ウレタン材等）を張り付け、下シャフト１９をシャフトカバー２４の空間部２４ａに挿入後、シャフトカバー２４の残りの空間２５となる部に前記同様のシール部材を差し込み一部を接着するとよい。また、他の方法としては、例えば、独立発泡体の軟質ウレタン等スポンジ材またはゴム系のシール部材のシャフトへの差し込み、ブチルゴム等のパテ類の充填、シャフトに接着防止の油等の溶液を塗布の後シリコン等充填剤の充填、等がある。
【００５２】
また、前記空間２５のハンドルサポート１３とシャフトカバー２４との当接部１３ａ、２４ｂは略平面であり、互いに前記略平面部で重なっており、断熱材２ａの前記空間２５部への侵入を防止している。また、前記重なりが左右方向にのびる略平面部であるため、ハンドルサポート１３とシャフトカバー２４は左右方向からの移動で組み立てることができ、前記侵入の防止を効果的に可能とさせている。
【００５３】
なお、前記当接部１３ａ、２４ｂの互いに重なる重なりシロは４mm以上あれば、前記侵入の防止には足り、望ましくは、１０mm以上あればさらにその効果は確実となる。また、２点鎖線はドアプレート８の位置をあらわす。
【００５４】
そして、前記でハンドル７の位置が冷蔵室扉２の下方に位置し、空間２５を上下方向で長く設ける必要がないか、空間２５を設ける必要がない場合は、冷蔵室扉２の内部にあるてこ式手段の一部と、冷蔵室扉２の外部に設けられたてこ式手段の一部とをつなぐ位置の開口部や、前記内部や、それらの付近の空間の少なくとも一部（例えば：図２における空間２５の上部付近に相当の部分）に、前記のような空気の対流を阻害する対流阻害機能を備えると、これもまた、前記同様の効果が得られる。
【００５５】
また、前記はハンドルサポート１３の一部とシャフトカバー２４の一部とで左右の方向から空間２５を狭めたものであるが、前後左右の異なる方向から複数個の部材によって、空間を狭めても同様の効果が得られ、空間を通して機能的につながる構造が、複雑な形状であれば、場合によっては、上下方向や斜め方向から異なる部材で前記空間を狭めることも可能となる。
【００５６】
また、（ｂ）は扉の右側のシャフトウケ２１を下方から見た図で、鍵穴状の開口部２１ａは略円形部２１ｂをもっている。前記略円形部２１ｂにハンドル下２０下方の略円形の突起部２０ｂ（図２に表示）が勘合し、回転自在に取り付くことになる。そして、前記略円形部２１ｂの円形中心は前記下シャフト１９の軸心１９ａと一致している。
【００５７】
また、鍵穴状の開口部２１ａのスリット部２１ｃは、前記ハンドル下２０に設けられた下シャフト１９のＬ状曲げ部１９ｃを通すための開口部である。なお、２１ｄは爪嵌合のための角穴である。また、２点鎖線はドアプレート８の位置をあらわす。
【００５８】
図４において、本図は図１における冷蔵室扉２右側の扉閉止状態でのハンドル７付近のＡ−Ａ線断面図で、左側のハンドル６付近における相当断面図は、本図を左右方向で反転したものとなる。
【００５９】
そして、ドアプレート８の後方折り曲げ部８ｃには背面板２９が取り付けられている。前記背面板２９の周縁部には溝２９ａが設けられ、パッキン３０の取付け部３０ａは前記溝２９ａに差し込まれて背面板２９に取り付けられている。また、パッキン３０には弾力性のある磁性体３０ｂが内部に設けられており、扉閉止時には冷蔵庫本体１のカラー鋼板製キャビネット３１等の本体開口部前面３１ａに、前記パッキン３０が密着して外気を遮断しかつ断熱している。なお、冷蔵室扉２には発泡ウレタンの断熱材２ａが一体に発泡されている。
【００６０】
そして、扉閉止状態から扉の右側を開放する時には、ハンドル７の握り部７ｃを握り手前に引くと、前記ハンドル７は軸心１９ａを中心に右回り方向に回転し、ハンドル７下に取り付けられたハンドル下２０やハンドル下２０の保持部２０ｃに保持された下シャフト１９の上方のＬ状曲げ部１９ｂも同時に軸心１９ａを中心に右回りに回転する。なお、７ｄはハンドル７の握り部７ｃをカバーするためのハンドルカバーである。
【００６１】
また、ドアプレート８やハンドルベース１５やシャフトウケ２１における、ハンドル７の握り部７ｃの上下方向で中央付近は、後方に位置させ（ドアプレート８やハンドルベース１５は、２点鎖線で描写の部分）、前記握り部７ｃを握りやすくしてある。
【００６２】
また、前記ドアプレート８は熱良導体（例えば：カラー鋼板）でできており、ハンドル７やハンドルサポート１３やシャフトウケ２１等からなる、前記扉開閉機構の多くの前面部の領域を覆っているため、前記扉開閉機構の一部を冷蔵室扉２内に設けることにより、断熱材２ａの断熱厚さを充分取れなくなったときの、庫内の冷気による前記扉開閉機構の一部の前面部へ伝わる部分的な冷熱を、前記ドアプレート８にて広範囲に拡散させ、外気温との温度差を低減させているので、庫内の冷気による前記の扉開閉機構前面部やその付近のドアプレート８の結露防止に役立つとともに、前記付近の爪等によるキズ付き防止にも役立っている。
【００６３】
そのため、前記本体開口部前面３１ａの周囲から所定間隔離隔させる扉開閉機構のてこ式手段の少なくとも一部（例えば：ハンドル７の一部、ハンドルサポート１３、ハンドル下２０、シャフトウケ２１等）は冷蔵室扉２の内部に設け、前記内部のてこ式手段前方の少なくとも一部を熱良導体であるドアプレート８（例えば：カラー鋼板製）で覆うことにより、庫内の冷気による前記の扉開閉機構前面部やその付近のドアプレート８の結露防止に役立ち、前記付近の爪等によるキズ付き防止にも役立っている。
【００６４】
しかも、前記ハンドル７周辺のみを前記てこ式手段の部材（例えば：ハンドルベース１５）の一部が表面に現れるのみで、他は、前記ドアプレート８で覆われるため、デザイン的にもまとまるためデザイン性にも優れ、前記握り部７ｃから軸心１９ａまでの長さを、外観を損なわずに長くすることも可能となり、てこ式手段を自由な位置に設けることもでき、扉開放のための操作力も低減できる扉開閉機構が得られる。
【００６５】
そして、前記空間２５（図２に表示）を設けることにより、てこ式手段のてこの力点（握り部７ｃ）の位置が上下方向で自由に設定でき、さらにてこ式手段を自由な位置に設けることもでき、デザイン性にも優れ、扉開放のための操作力も低減できる扉開閉機構が得られることになる。
【００６６】
さらに、前記下シャフト１９の右回り方向の回転により図２に示したカムレバー２７も軸心１９ａを中心に右回りに回転し、前記本体開口部前面３１ａ側にある後述するロック外カム３２を押し、前記ハンドル下２０の当たり部２０ｄがシャフトウケ２１の当たり受け部２１ｃに当たるまで、冷蔵室扉２の右側は本体開口部前面３１ａから所定間隔離され開放される。
【００６７】
このとき、磁性体３０ｂの磁力で密着している扉の主に右方向の前記パッキン３０が、本体開口部前面３１ａから少し離れるだけで、左右方向の移動もさせやすくなり、扉が回転自在にロックされる後述する第２係止位置への移動も容易となる。また、前記パッキン３０が本体開口部前面３１ａから少し離れるだけで、外気が庫内に入りやすくなり、この後の扉開放には前記所定間隔扉を開くよりも少ない力でよいことになる。
【００６８】
その後、さらにハンドル７を手前に引くと、ハンドル７の当たり部２０ｄが当たり受け部２１ｃに当たったままの状態で、冷蔵室扉２の右側はさらに開放されることになる。
【００６９】
なお、前記バネ２２の一端２２ａはシャフトウケ２１を後方に押すように、他端２２ｂはハンドル下２０の上面の係り部２０ｄを前方に押すようにかけられている。そのため、前記握り部７ｃを手から離すと、ハンドル下２０の上面の突起部２０ｅにはめられたバネ２２の反力でハンドル７やハンドル下２０はハンドルベース１５に対しもとの位置関係（本図の示す位置関係）にもどるようになっている。
【００７０】
また、前記ハンドル７がハンドルベース１５に対しもとの位置関係にもどるとき、前記ハンドル７がハンドルベース１５に当たり、打撃音が発生するが、その打撃音をやわらげるため、クッション材１５ｂを前記ハンドル７またはハンドルベース１５の少なくともどちらか一方の当たり部に設けるとよい。
【００７１】
そして、シャフトウケ２１側となる前記バネ２２の一端２２ａ付近は前方へソリのように折り曲げられており、前記突起部２０ｅにバネ２２がはめられた状態で、シャフトウケ２１の壁面にひっかからずに、前記シャフトウケ２１へハンドル下２０は差し込めるようになっている。
【００７２】
なお、前記冷蔵室扉２の断熱材２ａの断熱性が低く、断熱材２ａの厚みの薄くなっている所に位置する、ハンドルベース１５やドアプレート８の表面に結露がさらに生じる可能性があるときは、ハンドルサポート１３近くのドアプレート８の断熱材２ａ側（内側）から、前記ハンドルサポート１３の断熱材２ａ側にかけて、熱伝導材（例えばアルミ箔）を張り付け、結露防止策としてもよい。
【００７３】
また、熱伝導材（例えばアルミ箔）を張り付けるため、ハンドルサポート１３の前方部でドアプレート８付近からの立ち上がり部付近を、右側に行くほど後方の位置となるような傾斜面にさらにしておくと、より熱伝導材の張り付けが容易となる。
【００７４】
しかも、冷蔵室扉２のドアプレート８の裏側にハンドルサポート１３を設け、前記ハンドルサポート１３の端部はドアプレート８の断熱材２ａ側に接し、前記端部付近のハンドルサポート１３の少なくとも一部には、前記ドアプレート８に接する側に凹部１３ｂを設けてあるため、ハンドルサポート１３のドアプレート８に接する部分に、前記断熱材２ａが漏れた場合であっても、前記凹部１３ｂに溜まり、ハンドルサポート１３の断熱材２ａ側と相反する側に前記断熱材２ａが漏れることを防止している。
【００７５】
さらに、前記は、発泡性の断熱材（例えば：ウレタン発泡断熱材）であれば、凹部１３ｂが溜り部となり、漏れ出た発泡材が前記凹部１３ｂで硬化してその場に留まるため、断熱材２ａの漏れ防止の効果はさらに向上する。
【００７６】
また、前記凹部１３ｂをハンドルサポート１３に設けてあるため、前記ドアプレート８に設けられている開口部８ｂの周辺の少なくとも一部には、前記凹部１３ｂに対応してドアプレート８の内側に凸状の凸部８ｄが設けられるようになり、前記開口部８ｂ周辺の補強にもなり、前記凸部８ｄにて凹部１３ｂの巾が一部分狭められ、漏れ出た断熱材が二段階に留められ、さらに断熱材２ａの漏れ防止の効果は向上する。
【００７７】
なお、前記の効果は、発泡性の断熱材であれば、硬化する個所が二段階になるため、さらに前記の効果は顕著となる。
【００７８】
そして、前記凹部１３ｂの一部を前記凸部８ｄ側に突出させた突起（例えば：リブ状突起）をさらに設けると、よりいっそう前記断熱材２ａ等の漏れ防止の効果は向上する。そして、前記の効果は、ドアプレート８の凸部８ｄがない場合であっても、その隙間を同等の値にとれば、断熱材２ａ等の断熱材の漏れ防止の効果は同様となる。さらに、寸法的に充分であれば、複数個所に凸部８ｄや前記突起を設けると、いっそう前記効果は増すことになる。
【００７９】
図５において、本図は図１における冷蔵室扉２右側の扉閉止状態でのドアキャップ下１０付近のＢ−Ｂ線断面図で、主にカムレバー２７付近を示している。なお、左側のドアキャップ下１０付近における相当断面図は、本図を左右方向で反転したものとなる。
【００８０】
そして、前記下シャフト１９の下方のＬ状曲げ部１９ｃへは、下方からスライドカム２８に組み込まれたカムレバー２７が、囲むように取り付けられている。また、前記軸心１９ａの延長上に設けられた前記カムレバー２７の下側にある円形ボス２７ａ（図２に表示）は、スライドカム２８の穴２８ａ（図２に表示）に回動自在に嵌合している。なお、前記軸心１９ａと円形ボス２７ａの中心は、図２に示すように一致している。
【００８１】
また、図４に示した扉右側のハンドル７の握り部７ｃを握り手前に引くと、下シャフト１９が上方からみて右回り方向に軸心１９ａを中心に回転する。そのため、カムレバー２７も下シャフト１９同様右回り方向に軸心１９ａを中心に回転し、前記カムレバー２７のてこの作用点となるロック外カム３２との接触部で前記ロック外カム３２の前方を押し、図４に示した前記ハンドル下２０の当たり部２０ｄがシャフトウケ２１の当たり受け部２１ｃに当たるまで、冷蔵室扉２の右側は本体開口部前面３１ａから所定間隔離隔され開放される。
【００８２】
なお、ロック外カム３２の前方を押す前記カムレバー２７の押し面２７ｂは、前記ロック外カム３２の前方を押している間のほとんどを、冷蔵室扉２の中央側に行くほど前方の位置となるようになっているため、前記ロック外カム３２の前方を斜め右側（扉の側面側）前方から押すようになっており、その反力として冷蔵室扉２の右側を右側（扉の側面側）前方へ移動させるような力が働くことになる。
【００８３】
また、前記ロック外カム３２、カムレバー２７、下シャフト１９や図４のハンドル７での前記本体開口部前面３１ａからの所定間隔の扉開放は、てこの原理を利用したものであり、前記ハンドル７を手前に引いても、前記ロック外カム３２への力のかかる方向はある程度自由な方向に変えられ、扉移動方向と同様の方向へ力をかけることも可能となり、扉移動での開放抵抗をさらに和らげることができる。
【００８４】
なお、前記のことは、前記ロック外カム３２へ力をかける場合のみでなく、他の冷蔵庫本体１の部分に力をかける場合でも同様の効果が得られる。さらに、前記は片開きの扉構造であっても同様の効果が得られる。
【００８５】
そして、前記カムレバー２７の押し面２７ｂのロック外カム３２と接する部から前記軸心１９ａまでの距離は、図４の軸心１９ａからハンドル７の握り部７ｃの中央までの距離よりも短いため、前記握り部７ｃにかけた力は、てこの原理によりその各々の長さに反比例した値となり、前記握り部７ｃにかけた力より強い力でロック外カム３２を押すことになり、扉開放力の低減ができる。
【００８６】
また、てこの作用点のアーム部となる前記カムレバー２７の位置が冷蔵室扉２の下方にあるため、前記冷蔵室扉２の重さで前記アーム部のカムレバー２７と相手側の位置が上下方向で押さえつけられ、前記アーム部と相手側（例えばロック外カム３２）の位置が上下方向で安定して保持され、確実に、てこによる移動動作力が開放抵抗のかかる部分に伝わり、さらに安定した開放動作となる扉開閉機構が得られる。
【００８７】
そして、前記下シャフト１９が弾性体（例えば：硬鋼線材（ＳＷＲＨ）、ステンレス等のバネ材、ポリアセタール等の弾性樹脂材、等またはこれ等の組合せ）で形成され弾性機能を設けている場合は、図４のハンドル７を急激に力いっぱい手前に引いたり、冷蔵室扉２の開放側を故意に押さえて前記ハンドル７を手前に引いて、衝撃的な荷重や前記のような無理な荷重を前記ハンドル７に加えても、前記カムレバー２７の押し面２７ｂがロック外カム３２に当たると、前記下シャフト１９の回転方向で捩じれが一時的に生じ、前記衝撃荷重等の無理な荷重を作用部では和らげることができ、前記押し面２７ｂ部やロック外カム３２の接触部やその他前記荷重のかかる個所の変形や破損を防止することができる。
【００８８】
また、てこの作用点を含むアーム部の前記カムレバー２７で、押し面２７ｂの部分を弾性体（例えば：硬鋼材、ステンレス等のバネ材、ゴムや樹脂材を含んだ弾性体、等またはこれ等の組合せ）で形成等して弾性機能をもたせると、前記押し面２７ｂの部分が一時的に変形することにより、前記同様に、衝撃荷重等の無理な荷重を作用部では和らげることができ、前記同様に荷重のかかる個所の変形や破損を防止することができる。
【００８９】
そして、前記の衝撃荷重等の無理な荷重がなくなった時点で、前記下シャフト１９や押し面２７ｂの弾性機能をもつ部材等は、もとの形状に戻ることになる。そのため、図２に示すように、空間２５の一部が狭まり、Ｌ状曲げ部１９ｂ、１９ｃをもつ下シャフト１９が、てこ式手段の一部として冷蔵室扉２内部に組み込まれ、冷蔵室扉２が完成の後、前記冷蔵室扉２から取り外し不能となっても、前記下シャフト１９が異常な荷重による変形や破損等の可能性が少なくなるため、扉としての使用可能な寿命がのびて商品性の向上に役立つ。
【００９０】
なお、前記のことは、ハンドル７やハンドル下２０や、その他冷蔵室扉２内部に組み込まれ、扉完成後取り替え不能となるてこ式手段の一部の部品に関しても、同様の効果となる。
【００９１】
また、本図においては、押し面２７ｂを含む部分は、ステンレスバネ材にて形成して、カムレバー２７に取付けた状態を示している。また、前記カムレバー２７全体を前記のような弾性体で形成しても前記同様の効果は得られる。
【００９２】
さらに、前記のことは、本図構造に限らず、てこ式手段のてこの作用点を含む構造体の作用部（例えば：支点をもつハンドルの、力点と前記支点を挟んで相反する側の、扉開放力を与える作用点のハンドルの端と、前記支点との間の前記ハンドル部の少なくとも一部。等）に、前記同様の弾性機能を設けると同様の効果が得られる。
【００９３】
また、ロック外カム３２を前記のような弾性体を含む構造体にして、てこ式手段の作用対象となるロック外カム３２の前記押し面２７ｂとの接触部やその周辺に、弾性機能をもたせると、これもまた、前記同様に、衝撃荷重等の無理な荷重を作用部では和らげることができ、前記同様に荷重のかかる個所の変形や破損を防止することができる。
【００９４】
なお、本図においては、ロック外カム３２の後方の芯材部となるロック外カム芯材部３２ａを形成（例えば：深絞り用ステンレス材にてプレス成形）して、前記ロック外カム３２前方にロック外カム緩衝部３２ｂを形成（例えば：ロック外カム３２のガイド面外形に合わせてステンレスバネ板材にて形成し、前記ロック外カム芯材部３２ａに溶着）し、ロック外カム３２はその前方部に弾性機能をもたせている。
【００９５】
また、前記のことは、本図構造に限らず、てこ式手段のてこの作用対象となる部分（例えば：支点をもつハンドルの、力点と前記支点を挟んで相反する側のハンドルの端が、扉開放力を与える本体開口部前面３１ａ等の外箱の当接部等）の少なくとも一部に弾性機能をもたせる（例えば：当接部を板バネで形成して、前記板バネが撓むような形状関係で外箱に取付ける。シリンダー内に圧縮バネを入れ、当接部側の前記シリンダー内にロッドを前後移動可能に設け、前記圧縮バネで緩衝機能をもたせ前記シリンダーを外箱に取付ける。等）と、前記同様の荷重のかかる個所の変形や破損を防止することができる。
【００９６】
なお、引き出し式扉に開放動作補助のためのてこ式手段を設け、前記てこ式手段の作用部（例えば：前記ハンドルの端や、前記ハンドルの端につながり作用対象部を押すための押し板等）や作用対象部（例えば：外箱の前記当接部等）に前記同様弾性機能をもたせても、前記同様の効果が得られる。
【００９７】
また、前記各々の効果は独立して個々の場合で得られるが、場合によっては、前記各々の弾性機能を適度に組み合わせて各々の機能を調整して設けても、同様の効果が得られる。
【００９８】
そして、前記各々の一時的な変形や捩じれは、前記衝撃荷重等の無理な荷重を除くと、もとの形状等に戻り、また、通常使用においては、前記に関連する各部にかかる荷重は、変形設定荷重より少なく、前記一時的な変形や捩じれ等は微小であり、各々の作動に影響しないように設定されている。なお、前記各々の効果は、片開きの扉構造であっても同様の効果が得られる。
【００９９】
図６において、（ａ）〜（ｄ）は冷蔵室扉２の下方で冷蔵庫本体１の本体開口部前面３１ａにビス等で取り付けられるヒンジアングル３３の中央から右側をあらわす図である。また、図６（ａ）はヒンジアングル３３の片側を示す平面図である。なお、ヒンジアングル３３の中央から左側は、図６（ａ）を左右方向で反転した形状となる。そして、図６（ｂ）〜（ｄ）は各々図６（ａ）のＡ−Ａ線断面図、Ｂ−Ｂ線断面図、Ｃ−Ｃ線断面図である。
【０１００】
また、冷蔵室扉２の下方は扉の重量等が付加されるため、補強の目的でロック外カム３２は金属製（例えば：ステンレス鋼板）のプレス品等からなっている。また、金属製（例えば：亜鉛メッキ鋼板またはステンレス鋼板：厚さ３．２mm）のアングル３３ａには金属製（例えば：ステンレス鋼棒材）のヒンジピン３４およびロック外カム３２がカシメ止め等にて取り付けられている。
【０１０１】
前記ヒンジピン３４は前記冷蔵室扉２の扉開閉時の回転軸となる。そして、インサート成形によりヒンジカバー３３ｂが形成され、後述する第２カム突起３５を含むロックカム部３６はヒンジアングル３３と一体に形成されている。また、３３ｃは当たり受け部であり、扉開放時にこの部で扉の開きを制限する。
【０１０２】
なお、ヒンジアングル３３にある前記ヒンジピン３４の上面が、前記スライドカム２８の対応する面を支え、前記ヒンジピン３４周辺のその他の部分を浮かせていて、扉移動や扉開閉時の他の部分の摩擦やひっかかり防止の役目をしており、扉開放抵抗の多くもこのヒンジピン３４上面にかかることになる。
【０１０３】
そして、扉開放時に強度のある前記ロック外カム３２の前方部を図５に示すカムレバー２７が押すため、位置的にも押しやすく、他に余分な部材を設けたりこれ以上補強したりする必要もなく、構造が簡素化され安価となり、さらに、扉移動での開放抵抗の主にかかる一方のヒンジピン３４に近いため、確実にてこによる移動動作力が開放抵抗のかかる部分付近に伝わり、安定した開放動作となる扉開閉機構が得られる。
【０１０４】
図７において、（ａ）〜（ｄ）は冷蔵庫本体１の上面に設けられたヒンジアングル（図示せず）にビス等で取り付けられ、冷蔵室扉２の上方右側の後述するスライドカム４０に対応するロックカム部のロックカム３７を示す図である。また、図７（ａ）は前記ロックカム３７を示す上方から見た図であり、左側のロックカムは本図を左右方向で反転した形状となる。
【０１０５】
そして、図７（ｂ）〜（ｄ）は各々図７（ａ）のＡ−Ａ線断面図、Ｂ−Ｂ線断面図、Ｃ−Ｃ線断面図である。前記ロックカム３７の一方の端部には、ヒンジピン３４が挿入される貫通穴３８が設けられている。また、前記貫通穴３８と同心に円弧状の第２カム突起３５が形成されている。
【０１０６】
本構造においては、図２および図５のカムレバー２７は扉の下方のみにあり、扉開放の時に、前記カムレバー２７が扉の上方にある前記ロックカム３７のロック外カム３９を押す構造にはしていないため、強度的には樹脂材（例えばポリアセタール樹脂）で充分であるので、前記ロック外カム３２と対向した位置および類似の形状で、樹脂にてロックカム３７の前記貫通穴３８と異なる側の端部付近に、ロック外カム３９は一体に形成されている。なお、前記ロック外カム３９は、相手側のスライド外カム４３との係合領域を大きくするため、係合関係は同じで前記ロック外カム３２よりは長くしてある。
【０１０７】
図８において、（ａ）、（ｂ）、（ｃ）は図７のロックカム３７に対応する冷蔵室扉２の上方右側に位置するスライドカム部となるスライドカム４０を示し、その各々はスライドカム４０の平面図、正面断面図、裏面図である。前記スライドカム４０には、第１係止位置からヒンジピン３４との係合を離脱する方向へ導く第１溝カム４１と、第１係止位置からヒンジピン３４が回転軸として機能する第２係止位置へと導く第２溝カム４２が設けられている。
【０１０８】
また、前記スライドカム４０は、図７のロック外カム３９に係合するように配置されたスライド外カム４３と、図７の第２カム突起３５に第２係止位置で係合するように配置された第１カム突起４４をもっている。そして、スライドカム４０は、ドアキャップ上９（図１に表示）を挟んで補強板（不図示）にビス止めされている。
【０１０９】
また、スライドカム４０の裏側（補強板側）に位置決め突起４０ａ、４０ｂが設けられている。そして、第１カム突起４４の裏側にある位置決め突起４０ａは、図７の第２カム突起３５に係合したときの第２係止位置の回転軸となる位置またはその近くに設けられている。
【０１１０】
前記各々の位置決め突起４０ａ、４０ｂもまた、ドアキャップ上９を挟んで補強板（不図示）に設けられた位置決め用穴（不図示）に嵌合し、左右のスライドカムやロックカム等の間の、第１係止位置や第２係止位置となる位置等の、互いの位置関係を、正確に保つようになっている。
【０１１１】
すなわち、樹脂よりは線膨張係数の低い、金属等で形成されている補強板に前記位置決め突起４０ａ、４０ｂを基準にスライドカム４０が正確な位置関係で確実に取り付けられているため、温度変化等によってもあまり前記位置関係が変化せず、開閉動作が常に安定して行われる冷蔵室扉２が得られている。なお、相手側となるロックカム３７も同様に、金属等の線膨張係数の低い前記補強板と類似または同様の材質の部材に取付けられているため、更に前記効果は向上することとなる。
【０１１２】
また、前記位置決め突起４０ａは、相手側の前記位置決め用穴との嵌合関係を正確にするため、また、回転軸となる前記第２係止位置を冷蔵室扉２の両端近くに設けるため、直径をあまり大きく取らず（例えば：直径＝約６mm）にしてある。さらに、直径を大きくすると、相手側の補強板の両端をさらに外側に伸ばし、強度維持のため補強板を大きくする必要が生じ、前記第２係止位置を冷蔵室扉２の両端近くには設けられなくなるため、前記位置決め突起４０ａの直径をあまり大きく取らずにしてある。
【０１１３】
なお、冷蔵室扉２の両端近くに扉の回転軸（前記第２係止位置）を設けると、扉開閉のとき、パッキン３０（図４に表示）のこじれが少なくなり、扉開閉動作が良好となり、前記位置決め突起４０ａの直径が小さいことが、扉開閉動作の向上にもつながる。
【０１１４】
また、前記位置決め突起４０ａはスライドカム４０の第２係止位置となる位置またはその近くに設けられているため、左右の第２係止位置となる位置等の互いの位置関係を更に正確に保つようにもなっている。これによって扉開閉動作がいっそう確実な動きとなり、さらに扉開閉の操作性が向上し、扉開閉機構に対する操作性もいっそう向上する。
【０１１５】
また、冷蔵室扉２を閉じたときの左右方向にリブ４０ｃが設けられ、前記位置決め突起４０ａの根本が補強されている。そして、前記リブ４０ｃを設けることにより、ドアキャップ上９を挟んでスライドカム４０を補強板（不図示）にビス止めのときの、ビス頭のスライドカム４０表面への摩擦により生じる移動力での、前記位置決め突起４０ａの撓みを防ぐことができ、ビス止めによるスライドカム４０の位置ずれの防止にもなっている。
【０１１６】
そのため、ビス止めによるスライドカム４０の移動を、前記リブ４０ｃが阻止することになり、いっそう前記第２係止位置等の位置関係を正確に保つようになる。そして、そのため、冷蔵室扉２の開閉動作がいっそう確実になり、扉開閉の操作性が向上し、扉開閉機構に対する操作性もいっそう向上する。なお、冷蔵室扉２を閉じたときのわざわざ左右方向にリブ４０ｃを設けて補強した理由は、スライドカム４０の前記左右方向の位置ずれ防止が、冷蔵室扉２の開閉動作を確実にするのに非常に役立つためである。
【０１１７】
また、前記リブ４０ｃの高さは、ドアキャップ上９の厚さよりも低くしてあるため、前記位置決め突起４０ａに対向する補強板（不図示）周辺を平面のままで形成することができ、容易に前記補強板を形成でき生産性が向上し、形状が平面で簡素であるため仕上がり寸法の信頼性も増す。
【０１１８】
なお、図８の（ｂ）においては、位置決め突起４０ａおよびリブ４０ｃは、本図の紙面において、断面部より手前の浮いた位置にあるため、想像線（例えば：２点鎖線）で描くべきであるが、図面が不明瞭になるため、便宜上実線にて描いてある。
【０１１９】
また、前記で位置決め突起を円柱形状にしてあるが、前記形状にこだわらず、角柱や十文字状のリブ形状等の突起であれば、強度面や加工性を除いた以外の点で同様の効果は得られる。
【０１２０】
更には、前記リブ４０ｃの代わりに、位置決め突起４０ａに本図のような凹穴を設け、その部に丸ピンを圧入するか、突起４０ａの外径より小さなビス頭をもつビスを前記穴にねじ込む等で位置決め突起４０ａを補強しても前記同様の効果は得られる。
【０１２１】
なお、前記のことは、スライドカム２８についても同様の効果が得られる。
【０１２２】
図９において、（ａ）、（ｂ）は図２に示した冷蔵室扉２右側下方のスライドカム２８付近の図で、各々スライドカム２８付近の下方から見た図およびその断面図である。そして、（ｃ）は、（ｂ）の補強板２６を上方から見た図である。前記スライドカム２８もまた図８に示したスライドカム４０同様に第１溝カム４１、第２溝カム４２、スライド外カム４３、第１カム突起４４をもっている。また、スライドカム２８には図６のロック外カム３２をカムレバー２７が押すための開口部４５が設けられている。
【０１２３】
なお、前記カムレバー２７の回動軸となる円形ボス２７ａは、スライドカム２８の穴２８ａに回動自在に嵌合している。また、４６は冷蔵室扉２を開放しきったときの開放止めとなるストッパーで当たり部４６ａを持っており、図６のヒンジアングル３３に設けられた当たり受け部３３ｃに、扉開放時に前記当たり部４６ａが当たって、扉はそれ以上開かないようになっている。
【０１２４】
さらに、４７はローラー組品で冷蔵室扉２の閉止時に図６の前記ヒンジアングル３３上面に乗り上げ、冷蔵室扉２の荷重を支え、本体開口部前面３１ａへの密閉状態を良好に保つ役目をするとともに、扉開閉動作を補助する役目をしている。また、前記スライドカム２８、ストッパー４６、ローラー組品４７はドアキャップ下１０を介して補強板２６にビス止めされている。
【０１２５】
そして、スライドカム２８の裏側（補強板２６側）に位置決め突起２８ｂ、２８ｃが設けられている。また、第１カム突起４４の裏側にある位置決め突起２８ｂは、第２カム突起３５に係合したときの第２係止位置の回転軸となる位置またはその近くに設けられている。
【０１２６】
前記各々の位置決め突起２８ｂ、２８ｃもまた、ドアキャップ下１０を挟んで補強板２６に設けられた位置決め用穴２６ａ、２６ｂに嵌合し、左右のスライドカムやロックカム等の間の、第１係止位置や第２係止位置となる位置等の、互いの位置関係を、正確に保つようになっている。
【０１２７】
また、前記位置決め突起２８ｂも前記位置決め突起４０ａと同様の理由で、直径をあまり大きく取らず（例えば：直径＝約６ｍｍ）にしてある。そして、冷蔵室扉２を閉じたときの左右方向にリブ２８ｄが設けられ、前記位置決め突起２８ｂの根本が補強されている。
【０１２８】
そのため、ドアキャップ下１０を挟んでスライドカム２８を補強板２６にビス止めのときの、ビス頭のスライドカム２８表面への摩擦により生じる移動力での、前記位置決め突起２８ｂの撓みを防ぐことができる。そして、ビス止めによるスライドカム２８の移動を、前記リブ２８ｄが阻止して、いっそう前記第２係止位置の位置関係等を正確に保つようになり、前記同様に冷蔵室扉２の開閉動作がいっそう確実になる。
【０１２９】
また、前記リブ２８ｄの高さは、ドアキャップ下１０の厚さよりも低くしてあるため、前記位置決め突起２８ｂに対向する補強板２６周辺を平面のままで形成することができ、容易に前記補強板を形成でき生産性が向上し、前記同様に仕上がり寸法の信頼性も増す。
【０１３０】
なお、図９の（ｂ）においては、位置決め突起２８ｂおよびリブ２８ｄは、図８と同様理由で、想像線（例えば：２点鎖線）で描くべきであるが、図面が不明瞭になるため、便宜上実線にて描いてある。
【０１３１】
また、図９の（ｃ）において、補強板２６に設けられた位置決め用穴２６ａは、前記位置決め突起２８ｂの直径に合わせた直径（例えば：直径＝約６mm）の円を基本に、前後（本図では上下）方向を前記円の中心振分に前記直径より少ない巾（例えば：５．９mm）にして一部を圧入関係にしてある。
【０１３２】
そのため、前記位置決め突起２８ｂは、前記位置決め用穴２６ａに更に確実に嵌合でき、冷蔵室扉２を閉じたときの左右方向での前記第２係止位置等の位置関係をより正確に保つようになり、冷蔵室扉２の開閉動作がいっそう確実になる。
【０１３３】
なお、前記の嵌合関係で寸法のバラツキを考慮して、位置決め用穴２６ａの前記基本円の直径を、前記位置決め突起２８ｂの直径より少し大き目の直径（例えば：直径＝約６＋０．０５mm程度）にしてもよい。
【０１３４】
また、本図においては、前記のように、前後方向を前記円の中心振分に前記直径より少ない巾にして一部を圧入関係にしてあるが、これは、基準となる円を前記左右方向に残し、位置決め突起２８ｂと位置決め用穴２６ａを嵌合関係にし、前記圧入部分の削れや変形の影響を防ぎ、前記位置関係の正確さを更に保つためであるが、前記削れや変形の影響の心配がないか、前記影響が微小である場合は、圧入関係を前記左右方向や他の方向にもっていっても同様または類似の効果が得られる。
【０１３５】
また、前記位置決め用穴２６ａの形状を長円や楕円にして、一部を圧入関係にしてもよく、更には、位置決め用穴を丸穴にして、位置決め突起を位置決め用穴に圧入のため、一部を前記丸穴より大き目の寸法の形状に変形させても同様の効果は得られる。そして、位置決め用穴形状は丸穴に限らず、嵌合関係が維持できる形状（例えば：角穴や鍵状穴等）であれば、前記同様の効果は得られる。
【０１３６】
また、補強板２６に設けた位置決め用穴２６ａの返りなき側をスライドカム２８側にして、位置決め突起２８ｂの圧入側にエッジが立たないように加工しておくと、位置決め突起２８ｂが前記エッジで削り取られることもなく、位置関係を正確に保った状態で圧入することができ、更に正確な各々の位置関係が保たれる。
【０１３７】
また、図９の（ｂ）ではストッパー４６、ローラー組品４７およびドアプレート８の図は複雑になるため省略している。
【０１３８】
なお、前記で補強板２６に設けた位置決め用穴２６ａを設けているが、前記穴の代わりに嵌合のために対応した凹部を設けても前記同様の効果が得られ、補強板２６は強度的にはさらに増加することになる。
【０１３９】
図１０において、（ａ）〜（ｃ）は冷蔵室扉２の下側の扉右側を開くときの図６のロックカム部３６と図９のスライドカム２８の相対位置関係を示した図であり、（ａ）は冷蔵室扉２の閉止状態の図で、ロックカム部３６とスライドカム２８からなるカム機構は第１係止位置をとっている。
【０１４０】
この時、左右のスライドカム２８に設けられた第１溝カム４１は、各々扉の斜め内側の向きとなるよう形成されており、各々がヒンジピン３４に規制されるので、使用者が扉やハンドル７の握り部７ｃを左右両側から同時に手前に引いても、扉が本体から脱落することはない。また、このとき、ロック外カム３２がスライド外カム４３の前方への移動を阻止するため、これもまた、扉の脱落防止に役立っている。
【０１４１】
また、（ｂ）は、図４に示した扉右側のハンドル７の握り部７ｃを握って手前に少し引いて、扉が右側から開き始めた状態を示している。
【０１４２】
この時、握り部７ｃを手前に少し引くと、軸心１９ａを中心にカムレバー２７が右回転して、カムレバー２７の押し面２７ｂがロック外カム３２の前方先端右側を後方へ押す。そのため、その反動で、右側のスライドカム２８にある第１溝カム４１の右壁面が、右側のロックカム部３６のヒンジピン３４に当たりながら斜め前方へ移動し、冷蔵室扉２の右側は斜め右前方へ移動する。
【０１４３】
そして同時に、左側のスライドカム２８にある第２溝カム４２の奥の壁面４２ａが、左側のロックカム部３６のヒンジピン３４に当たりながら斜め横後方へ移動し、冷蔵室扉２の左側は斜め右後方へ移動する。
【０１４４】
（ｃ）は、図４に示した握り部７ｃをさらに手前に引いて、扉が右側からさらに開いた状態を示している。このとき、右側のカムレバー２７がさらにロック外カム３２の前方先端右側を後方へ押し、扉右側におけるスライド外カム４３の摺動面４３ａが、ロック外カム３２の摺動面３２ｃと摺動することになる。
【０１４５】
そして、右側のヒンジピン３４に案内された第１溝カム４１が扉を斜め右前方へさらに移動させ、また、扉の左側は左側第２溝カム４２の奥の壁面４２ａが、左側のロックカム部３６のヒンジピン３４に当たりながら斜め横後方へさらに移動し、冷蔵室扉２の左側は斜め右後方へさらに移動する。
【０１４６】
なお、このとき、図４における当たり部２０ｄは、握り部７ｃをさらに手前に引いたため、シャフトウケ２１の当たり受け部２１ｃに当たり、前記握り部７ｃをこれ以上さらに手前に引いても、カムレバー２７はこれ以上ロック外カム３２を押すことはなく、この後ハンドル７は通常の取っ手の働きとなる。
【０１４７】
そして、扉右側のロック外カム３２前方を押す前記カムレバー２７の押し面２７ｂは、ロック外カム３２の前方を押している間のほとんどを、冷蔵室扉２の中央側に行くほど前方の位置となるようになっている。そのため、前記ロック外カム３２の前方を斜め右側前方から押すようになり、その反力として右側の冷蔵室扉２を右側前方へ移動させるような力が働く。
【０１４８】
これは、前記ロック外カム３２の前方を、扉の開放方向と近い反対の方向に押していることになる。そして、冷蔵室扉２を右側前方へ移動させる前記のような力は、右側のスライドカム２８にある第１溝カム４１が、右側のヒンジピン３４の外周に沿って移動しやすくする。
【０１４９】
また、前記押し面２７ｂの動きにより、扉左側のスライドカム２８も同時に扉の右方向へ引かれるため、左側第２溝カム４２は左側ヒンジピン３４の外周に沿って移動しやすくなり、左側のスライドカム２８は第２係止位置をとりやすくなる。
【０１５０】
それゆえ、前記カムレバー２７の押し面２７ｂによる移動動作力の一部の分力が冷蔵室扉２を第２係止位置へ移動させるように働くことになり、扉開放時の扉の移動が容易で、扉が確実に移動するようになり、扉開放操作の良好な扉開閉機構が得られる。
【０１５１】
また、前記（ａ）〜（ｃ）の扉の作動時、左側のカムレバー２７の押し面２７ｂは左側のロック外カム３２に接する程度であり、左側のスライドカム２８の動きを阻害しない形状にもなっている。前記の左側の押し面２７ｂとロック外カム３２との関係は、扉開閉時で左側の押し面２７ｂが左側のロック外カム３２に近づいている間中保たれる。なお、この時左側の押し面２７ｂとロック外カム３２の間は少し隙間をもたしておくと、左側のスライドカム２８の移動時に、前記押し面２７ｂとロック外カム３２のこすれによる異常音の出る恐れがなくなる。
【０１５２】
また、図１０の（ａ）において、使用者がハンドル６、７（図１に表示）を左右両側から同時に手前に引いたときは、左右のカムレバー２７で各々のロック外カム３２の前方部を押すことにより、その反動で冷蔵室扉２は左右同時に前方へ移動しようとする。そして、左右のスライドカム２８に設けられた、各々扉の斜め内側に傾斜した第１溝カム４１の壁面に、左右各々のヒンジピン３４が押し付けられ、冷蔵室扉２はそれ以上前方に移動しないようになっている。
【０１５３】
しかし、全体重をかけて人並み以上に異常に強い力で左右のハンドル６、７をそれ以上同時に手前に引き、ハンドル６、７にかける扉開放のための力が、左右のカムレバー２７を通じて完全にロック外カム３２の前方部に伝達されると、前記左右のヒンジピン３４が前記各々の第１溝カム４１の壁面を変形させて、冷蔵室扉２は左右同時に前方へ少し移動し、両方のスライド外カム４３の前方部が各々ロック外カム３２に当たるようになる。
【０１５４】
そして、更に、異常に強い力で左右のハンドル６、７を同時に手前に引きつづけ、冷蔵室扉２の前方への移動がつづくと、スライド外カム４３、ロック外カム３２、第１溝カム４１の壁面、ヒンジピン３４等の変形、倒れ、等が生じ、その後の扉の開閉動作がうまくできなくなったり、場合によっては、スライド外カム４３や第１溝カム４１の壁面が破損して、冷蔵室扉２は本体から脱落するという恐れが生じる。
【０１５５】
そのため、図５に示したように、下シャフト１９が弾性体で形成（例えば：断面形状＝丸、外径＝４mm、材質＝ＳＷＲＨ）して弾性機能を設けておくと、左右のカムレバー２７で各々のロック外カム３２の前方部を押すことにより、第１溝カム４１の壁面に、左右各々のヒンジピン３４が押し付けられた後、更に、異常に強い力で左右のハンドル６、７を同時に手前に引いても、前記下シャフト１９の回転方向で捩じれが一時的に生じ、前記のような変形、倒れ、等が生じ、その後の扉の開閉動作がうまくできなくなったり、破損や脱落の恐れが生じるような力以上の力がロック外カム３２の前方部に伝達されないように設定ができる。
【０１５６】
これにより、スライド外カム４３、ロック外カム３２、第１溝カム４１の壁面、ヒンジピン３４等の変形、倒れ、破損が防止でき、冷蔵室扉２の開閉の良好な操作性を維持することができるようになり、冷蔵室扉２が本体から脱落することの防止が更に確実なものになる。そしてまた、衝撃荷重等の無理な荷重をも前記スライド外カム４３、ロック外カム３２等の作用部で和らげることができ、これ等の荷重に対しても、前記同様の効果が得られる。
【０１５７】
また、図５に示したように、押し面２７ｂの部分やカムレバー２７を弾性体（例えば：硬鋼材、ステンレス等のバネ材、ゴムや樹脂材を含んだ弾性体、等またはこれ等の組合せ）で形成等して弾性機能をもたせた場合であっても、前記同様の場合、左右の第１溝カム４１の壁面に、各々のヒンジピン３４が押し付けられた後、更に、異常に強い力で左右のハンドル６、７を同時に手前に引いても、弾性体で形成等された前記カムレバー２７や押し面２７ｂが一時的に変形してそれ以上の力がロック外カム３２の前方部に伝達されないように設定ができ、前記同様の効果が得られる。
【０１５８】
更に、図５に示したように、ロック外カム３２を前記のような弾性体を含む構造体にして、てこ式手段の作用対象となるロック外カム３２の前記押し面２７ｂとの接触部やその周辺に、弾性機能をもたせると、前記同様の場合に、弾性体を含むロック外カム３２の構造体の押し面２７ｂとの接触部やその周辺が一時的に変形して、前記同様の効果が得られる。
【０１５９】
また、前記のことは、本図構造に限らず、てこ式手段のてこの作用点を含む構造体（例えば：支点をもつハンドルの、力点と前記支点を挟んで相反する側の、扉開放力を与えるハンドルの端と、前記支点との間の前記ハンドル部の少なくとも一部。等）に、前記同様の弾性機能を設けたり、また、てこ式手段のてこの作用対象となる部分（例えば：支点をもつハンドルの、力点と前記支点を挟んで相反する側のハンドルの端が、扉開放力を与える外箱の当接部等）の少なくとも一部に弾性機能をもたせたり（例えば：当接部を板バネで当接部側を凸状に形成したり、外箱を凹状にしたり等して、前記板バネが撓むような形状関係で外箱に取付ける。シリンダー内に圧縮バネを入れ、当接部側の前記シリンダー内にロッドを前後移動可能に設け、前記圧縮バネで緩衝機能をもたせ前記シリンダーを外箱に取付ける。等）して、前記てこ式手段のそれぞれの少なくとも一つを前記冷蔵室扉２や冷蔵庫本体１側に設けても、前記同様の効果は得られる。
【０１６０】
そして、前記各々の一時的な変形や捩じれは、前記異常荷重等を除くと、もとの形状等に戻り、また、通常使用においては、前記変形等は微小で、各々の作動に影響しないように設定されている。
【０１６１】
なお、前記各々の効果は独立して個々の場合で得られるが、場合によっては、前記各々の弾性機能を適度に組み合わせて各々の機能を調整して設けても、同様の効果が得られる。
また、図１１において、（ａ）〜（ｃ）は冷蔵室扉２の下側で扉の右側を図１０よりさらに開くときのロックカム部３６とスライドカム２８の相対位置の関係を示した図であり、（ａ）は図１０の（ｃ）で図４に示した握り部７ｃをもってさらに扉を手前に引いて、扉の右側がさらに開いた状態を示している。このとき、扉左側において第２溝カム４２の円形部４２ｂがヒンジピン３４と接する位置になり、左側のスライドカム２８は第２係止位置となる。
【０１６２】
そして、左側の第１カム突起４４が第２カム突起３５と係合を開始し、第１カム突起４４が摺動案内され始める。また、扉右側では、スライド外カム４３の摺動面４３ｂが、ロック外カム３２の摺動面３２ｄと左側のヒンジピン３４を回転軸とする円弧上を摺動する。
【０１６３】
そのため、左側のスライドカム２８が左側のヒンジピン３４からはずれないようにロックされ、扉が本体から脱落するのを防止し、扉の開閉を確実に行えるようにすることができる。
【０１６４】
さらに、扉が回転すると、左側のヒンジピン３４を回転軸として、右側第１溝カム４１の奥部４１ａの右側がヒンジピン３４に接しながら移動し、その後、右側のヒンジピン３４と第１溝カム４１との係合が解除される。
【０１６５】
また、この右側第１溝カム４１の奥部４１ａのヒンジピン３４との係合は、スライド外カム４３やロック外カム３２が欠損したときや左側の第１カム突起４４が第２カム突起３５と係合するときの補助をすることになる。
【０１６６】
なお、左側の第１カム突起４４が第２カム突起３５と係合を開始し始め、第１カム突起４４が摺動案内され始めるとき、左側のスライドカム２８とロックカム部３６の位置関係が正常でなく、前記スライドカム２８が設定値より左側にずれて取付けられていると、または、前記スライドカム２８が設定値より左側にずれてしまうと、左側のスライド外カム４３はロック外カム３２の左側に位置するようになる場合がある。
【０１６７】
このとき、冷蔵室扉２の左側に前方へ移動させる外力が加わる（例えば：図１のハンドル６を手前に引く）と、左側の第１カム突起４４と第２カム突起３５との係合関係が解消され、左側のヒンジピン３４を第１溝カム４１が通過可能となり、右側の第１溝カム４１の奥部４１ａがヒンジピン３４から離れたとき、冷蔵室扉２の左側も左側のヒンジピン３４から外れ、冷蔵室扉２が脱落することになる。
【０１６８】
そのため、左右のスライドカム２８とロックカム部３６との位置関係は、設定通りの値に常に維持する必要があり、図８、図９に表示の前記位置決め突起２８ｂ、２２ｃ、４０ａ、４０ｂや位置決め用穴２６ａ、２３ｂは非常に重要な役割をはたすことになる。
【０１６９】
そして、図１１の（ｂ）に示すように、扉を握り部７ｃをもって右側から更に開くと、右側各々のカム機構のロック外カム３２とスライド外カム４３との係合が解除され、右側のロックカム部３６とスライドカム２８との係合が解除される。
【０１７０】
また、扉の左側では、ヒンジピン３４の軸中心を中心として、スライド外カム４３の摺動面４３ｃとロック外カム３２の摺動面３２ｅとが摺動し、スライド外カム４３がロック外カム３２に摺動案内される。
【０１７１】
その後は、図１１の（ｃ）に示すように、左側の第１カム突起４４と第２カム突起３５との係合のみにより、左側のスライドカム２８がロックカム部３６に案内され、左側のヒンジピン３４の軸中心を回転中心として扉が開かれる。
【０１７２】
なお、図１０、図１１は図４に示した扉右側のハンドル７の握り部７ｃを握って手前に引き、扉の右側を開くときの冷蔵室扉２のスライドカム２８とロックカム部３６の関係を示したものであるが、冷蔵室扉２の上方のロックカム３７とスライドカム４０との関係も同様である。
【０１７３】
また、前記図１１の（ｃ）に示した状態から、開いた扉の右側を閉じる場合は、扉の前面の右端近くを手で押すとよく、スライドカム２８やロックカム部３６の各部の関係は前記図１０および図１１と同様となり、ハンドル７の握り部７ｃを握って手前には引いていないため、カムレバー２７のみはバネ２２の反力で図１０の（ａ）の状態になっている。
【０１７４】
また、扉の左側を開ける場合は、前記図１０および図１１の図を左右方向で反転させた関係となる。
【０１７５】
図１２において、本図は他の実施例を示すもので、図１における冷蔵室扉２右側の扉閉止状態でのドアキャップ下１０付近のＢ−Ｂ線断面図である図５に相当する図である。なお、左側のドアキャップ下１０付近における相当断面図は、本図を左右方向で反転したものとなる。
【０１７６】
そして、前記下シャフト１９に相当する下シャフト４８の下方のＬ状曲げ部４８ｃへは、下方からスライドカム部であるスライドカム４９に組み込まれたアームとなるカムレバー５０が囲むように取り付けられている。なお、前記スライドカム４９およびカムレバー５０は、前記下シャフト４８の軸心４８ａが前記ロック外カム３２の前端より後方に位置することのみ異なり、その他は同様の構造となっている。
【０１７７】
また、ロック外カム３２の前方を押す前記カムレバー５０の押し面５０ｂは、前記ロック外カム３２の前方を押している間のほとんどを、前記下シャフト４８のてこの支点となる軸心４８ａが前記ロック外カム３２の前端より後方に位置するようになっているため、前記ロック外カム３２の前方を斜め右側（扉の側面側）前方から押すようになっており、その反力として冷蔵室扉２を右側（扉の側面側）前方へ移動させるような力が働くことになる。
【０１７８】
そのため、てこのアームである前記カムレバー５０による移動動作力の一部の分力が、扉を第２係止位置へ移動させるように働くため、扉開放時の扉の移動が容易で扉が確実に移動するようになり、扉開放操作の良好な扉開閉機構が得られる。
【０１７９】
そして、前記下シャフト４８、カムレバー５０、押し面５０ｂの各々の少なくとも一つを、図５や図９で述べたような弾性体を含む構造に同様にすると、てこ式手段による荷重のかかる個所の変形や破損の防止等をすることができ、同様の効果が得られる。
【０１８０】
なお、前記で、てこ式の扉開閉機構を設けた場合、前記各々のカム機構には、通常の開閉動作より大きな荷重がかかる場合（例えば：ハンドルを急激に力いっぱ引く、両側にあるハンドルを同時に体重をかけて引く等）があるが、前記カム機構の位置決め突起２８ｂ、２８ｃ、４０ａ、４０ｂを補強した後、従来より太いビスで前記カム機構を取り付けると、更に正確な前記各々の位置関係が保たれるとともに、更に丈夫なカム機構の取り付けが可能となり、てこ式の扉開閉機構が強化され、経年使用での前記カム機構の位置ずれ等による、扉の開閉動作での操作性低下の恐れが更にない、安全性のより増した、いつまでも安定した良好な操作性を備えた扉開閉機構が得られる。
【０１８１】
また、前記で断熱材２ａは発泡ウレタンを用いているが、他の発泡断熱材でもよく、また、ガラスウール等の断熱材であってもよい。また、前記は、てこのアームであるカムレバーが扉の下方にのみある場合であるが、扉の上方の前記相当位置にもカムレバーを設け対応すると、扉の作動はさらに良くなることは明白である。
【０１８２】
そして、前記は冷蔵庫の左右両開きの扉についての説明であるが、他の扉であっても同様の効果が得られ、また、扉の開きが上下方向でもよく、また、扉が上面や下面にあっても類似の効果が得られる。
【０１８３】
なお、前記で左右方向とは、冷蔵庫を正面から見て左右の方向を意味し、前後方向とは、冷蔵庫を正面から見て前後の方向を意味する。また、本図において、板厚などの薄い断面を示す部分に対するハッチングは省略している。
【０１８４】
【発明の効果】
本発明の扉開閉機構は前記のような構成であるから、ハンドルの位置がある程度自由に選べて、てこ式手段による扉開閉の操作性が向上するばかりでなく、構造面からのデザイン的制約がさらに少なく、扉表面等に結露の可能性も少なく、断熱効率の向上した、扉の開閉動作での良好な操作性を維持することができる、いつまでも安定した良好な操作性を備え安全性のより増した、組み立て性のよい扉開閉機構が得られる。
【図面の簡単な説明】
【図１】本発明の扉開閉機構を備えた冷蔵庫の正面図である。
【図２】図１のてこ式手段によるハンドル付近の断面図である。
【図３】図２の狭められた空間付近の断面およびシャフトウケを下方から見た図である。
【図４】図１のＡ−Ａ線断面図である。
【図５】図１のＢ−Ｂ線断面図である。
【図６】本発明の扉開閉機構で扉の下側にあるヒンジアングルを示す図である。
【図７】本発明の扉開閉機構で扉の上側にあるロックカムを示す図である。
【図８】本発明の扉開閉機構で扉の上側にあるスライドカムを示す図である。
【図９】本発明の扉開閉機構のスライドカム付近で扉の下側の一部とその関連部品を示す部分拡大図である。
【図１０】本発明の扉開閉機構の動作を示す図である。
【図１１】本発明の扉開閉機構の動作を示す図である。
【図１２】本発明の扉開閉機構の他の実施例を示す図で、図１のＢ−Ｂ線断面図に相当する図である。
【符号の説明】
２  冷蔵室扉（扉）
７ｃ  握り部（てこの力点）
８  ドアプレート（熱良導体）
８ｄ  凸部
１３  ハンドルサポート
１３ａ  当接部
１３ｂ  凹部
１９ｂ  Ｌ状曲げ部
１９ｃ  Ｌ状曲げ部
２４  シャフトカバー
２４ｂ  当接部
２５  空間
４８ｃ  Ｌ状曲げ部
【図１】
0003693571.tif 000002
【図２】
0003693571.tif 000003
【図３】
0003693571.tif 000004
【図４】
0003693571.tif 000005
【図５】
0003693571.tif 000006
【図６】
0003693571.tif 000007
【図７】
0003693571.tif 000008
【図８】
0003693571.tif 000009
【図９】
0003693571.tif 000010
【図１０】
0003693571.tif 000011
【図１１】
0003693571.tif 000012
【図１２】
0003693571.tif 000013